(57)【要約】      （修正有）【課題】多様な調理用器具に使用できるシリコーンゴム製の調理用器具スタンドを提供する。【解決手段】上部が開口した有底形状の保持部２０と、開口２１の内面に設けた突起部３０と、保持部の下部に設けた吸盤部４０とを備える。保持部の開口内に調理用器具の一部（例えば柄の部分）を挿入すると、開口内に設けたシリコーンゴム製の可撓性を持つ突起部が調理用器具の一部の形状に応じて弾性変形しながらその周囲を包み込むので、多様な調理用器具を開口内に確実に把持しておくことができる。また、吸盤部４０を備えるので調理用器具スタンドを流し台等に容易且つ安定的に固定することができる。【選択図】図４
0003174913.tif 000002
【実用新案登録請求の範囲】
【請求項１】
上部が開口した有底形状の保持部と、前記開口の内面に設けた突起部とを備えることを特徴とするシリコーンゴム製の調理用器具スタンド。
【請求項２】
前記保持部の下部に吸盤部を備えることを特徴とする請求項１に記載の調理用器具スタンド。
【請求項３】
前記突起部が、前記開口の内面から前記保持部の中心軸方向にのびる左右一対の突起片を上下方向に複数配置して構成されており、
前記保持部を上部から中心軸方向に見た場合に、前記開口が楕円形状又は長方形状になっていることを特徴とする請求項１又は２に記載の調理用器具スタンド。
【請求項４】
前記保持部が上部から下部に向かって肉厚が増加していくことを特徴とする請求項１〜３のいずれか一項に記載の調理用器具スタンド。
【考案の詳細な説明】
【技術分野】
【０００１】
本考案は、調理用器具を収納・保持できるスタンドに関し、特に多様な調理用器具に使用できる調理用器具スタンドに関する。
【背景技術】
【０００２】
近年の衛生意識の高まりや調理作業の効率性向上を目的として、使用していない調理用器具の収納だけでなく、使用中の調理用器具を一時的に保持（仮置き）しておくための手段についても種々開発が進められている。
例えば特許文献１には、上下が開口した筒体の側面に吸盤を取り付け、吸盤を炊飯器の胴部に吸着させた状態でしゃもじの柄を筒体に挿入することでしゃもじを保持するホルダーが開示されている。
また、特許文献２には、上端部に嵌合爪、下端部に吸盤を備えており、吸盤を炊飯器の蓋に吸着させた状態でしゃもじの柄を嵌合爪で係止することでしゃもじを保持するホルダーが開示されている。
これらホルダーによればしゃもじをキッチンの流し台等に直に置くことなく衛生的かつ容易に収納・保持できる。
【０００３】
また、特許文献３には、磁性金属製のお玉杓子の碗部下面を磁着保持するために、皿の中央上面に磁石を埋設したお玉杓子用の自立保持具が開示されている。
また、柄の後端部を太くかつ平面にすることで、当該平面を利用して流し台等に自立させることができるしゃもじも知られている。
【先行技術文献】
【特許文献】
【０００４】
【特許文献１】実用新案登録第３０７５１１５号公報
【特許文献２】特開２００４−３１３６３８号公報
【特許文献３】実用新案登録第３１３５１６８号公報
【考案の概要】
【考案が解決しようとする課題】
【０００５】
しかし、上述したような従来の収納・保持用製品では以下のような問題がある。
すなわち、各製品はそれぞれ一種類の調理用器具に適するようにその形状等が設計されているため、例えばしゃもじホルダーをお玉杓子や包丁等の他の調理用器具に使用することが困難であり、仮に使用した場合には保持が不安定になる等の不具合が生じる。
したがって、各製品は基本的には一種類の調理用器具あるいはこの調理用器具と外形が類似した調理用器具にしか使用できず、使用者は調理用器具毎に製品を購入しなければならないという問題がある。
【０００６】
本考案は上記問題に鑑み、多様な調理用器具に使用できる調理用器具スタンドを提供することを目的とする。
【課題を解決するための手段】
【０００７】
本考案の調理用器具スタンドはシリコーンゴム製であり、上部が開口した有底形状の保持部と、前記開口の内面に設けた突起部とを備えることを特徴とする。
また、前記保持部の下部に吸盤部を備えることを特徴とする。
また、前記突起部が、前記開口の内面から前記保持部の中心軸方向にのびる左右一対の突起片を上下方向に複数配置して構成されており、前記保持部を上部から中心軸方向に見た場合に、前記開口が楕円形状又は長方形状になっていることを特徴とする。
また、前記保持部が上部から下部に向かって肉厚が増加していくことを特徴とする。
【考案の効果】
【０００８】
本考案の調理用器具スタンドによれば、保持部の開口内に調理用器具の一部（例えば柄の部分）を挿入すると、開口内に設けたシリコーンゴム製の可撓性を持つ突起部が当該調理用器具の一部の形状に応じて弾性変形しながらその周囲を包み込むので、調理用器具を開口内に確実に把持しておくことができると共に柄等の寸法が異なる多様な調理器具に使用できる。
また、吸盤部を備えるので調理用器具スタンドを流し台等に容易且つ安定的に固定することができる。
【０００９】
特に、左右一対の突起片を上下方向に複数配置して、保持部を上部から中心軸方向に見た場合に開口が楕円形状又は長方形状になるように構成することで、柄等の寸法が異なる多様な調理器具を確実に把持できる。すなわち、柄等の断面形状の寸法が開口の楕円形状の短軸の長さ以上であって長軸の長さ以下、又は長方形状の短辺の長さ以上であって長辺の長さ以下であれば、柄等を必ず左右一対の突起片に接触させることができるので、柄等の断面形状がこの範囲に収まる調理用器具であれば大半のものを把持することができる。
また、保持部の肉厚が下方に向かうにしたがって増加するように設計すれば、調理用器具スタンド全体の重心位置を低く抑えることができると共に吸盤部の面積を大きくできるので、調理用器具スタンドをより強固且つ安定的に流し台等に吸着させることができる。
【００１０】
なお、本明細書において「楕円形状」にはおおよそ楕円形状に近い形状のものも含むものとし、「長方形状」にはおおよそ長方形状に近い形状のものも含むものとする。
また、本考案の調理用器具スタンドは、使用中の調理器具を一時的に保持する用途のみならず、使用後の調理器具を収納しておく用途にも使用できる。
また、本明細書において「シリコーンゴム」とはシロキサン結合(Si-O-Si)を主骨格にもつゴムを指す。シリコーンゴムは化学的に安定で酸化・分解されにくいため耐熱・耐寒性、対候性、撥水性等に優れ、また、熱伝導性が低い、滑りにくい、臭いが少ない、弾性変形可能という特性が知られているため、調理用器具スタンドの材料として適している。
また、本明細書において「調理用器具」とは、家庭や店舗等で調理を行う際に使用される道具や装置のうち、保持部の開口内に挿入可能な部位（柄等）を有するものを指し、例えばしゃもじ、包丁、お玉杓子、へら、米研ぎ棒、計量スプーン等が挙げられる。
【図面の簡単な説明】
【００１１】
【図１】調理用器具スタンドの外観を示す側面図
【図２】調理用器具スタンドの外観を示す平面図
【図３】調理用器具スタンドの縦断面図
【図４】調理用器具スタンドの縦断面斜視図
【図５】調理用器具スタンドの使用方法を説明するための縦断面図
【図６】調理用器具スタンドの使用方法を説明するための縦断面図
【図７】第２の実施の形態の調理用器具スタンドの縦断面図（ａ）及び平面図（ｂ）
【図８】第３の実施の形態の調理用器具スタンドの縦断面図
【図９】第４の実施の形態の調理用器具スタンドの縦断面図
【図１０】第５の実施の形態の調理用器具スタンドの縦断面図
【考案を実施するための形態】
【００１２】
［第１の実施の形態］
本考案の第１の実施の形態の調理用器具スタンドについて図面を用いて説明する。
図１〜図４に示すように、調理用器具スタンド１０は保持部２０、突起部３０及び吸盤部４０を備えており、これら保持部２０、突起部３０及び吸盤部４０はシリコーンゴムにより一体成形されている。
【００１３】
保持部２０は上部が円形に開口した有底形状であり、調理用器具の柄等を円形の開口２１の内部に挿入することで調理用器具を開口２１内で把持することができる。
また、図３及び図４に示すように、本実施の形態において保持部２０は上部から下部に向かって肉厚が次第に増加している。すなわち、保持部２０の上部から下部に向かって全高の１/３程度の長さまでは僅かに外側に傾斜しており、１/３から２/３程度の長さまでは急激に外側に膨らみ、２/３から下部までは再び僅かに外側に傾斜することで側面視した場合にほぼ台形状になっている。
【００１４】
換言すると、保持部２０の水平面内での断面の外形はほぼ円形になっており、上部から下方に向かって断面の外径が次第に増加することで断面積が大きくなっていく。
このように保持部２０はその肉厚が下部に向かうにしたがって増加するので、調理用器具スタンド１０全体の重心位置を低く抑えることができる。また、水平面内での断面積が下部に向かうにしたがって次第に増加するので、後述する吸盤部４０の面積を大きくすることができ、調理用器具スタンド１０を流し台等に強固且つ安定的に置くことができる。
【００１５】
突起部３０は保持部２０の開口２１の内面に設けられている。
具体的には、突起部３０は開口２１の内面において、保持部２０の中心軸方向にのびる左右一対のひだ状の突起片３１を複数（本実施の形態においては左右一組で七組）配置して構成されている。このように、円形の開口２１が突起片３１によって左右方向から塞がれることで、保持部２０を上部から中心軸方向に見た場合に開口２１の形状が楕円形になる（図２参照）。
突起片３１は上述の通りシリコーンゴム製なので上下方向及び径方向に弾性的に撓むことができるという特性（可撓性）や表面が滑りにくいという特性を有する。
【００１６】
吸盤部４０は保持部２０の下部に設けられており、周縁部４１と空隙部４２とから構成されている。
周縁部４１は保持部２０の下面の周縁から下方にのびる部材であり、本実施の形態では環状に形成されている。
空隙部４２は保持部２０の下面２２と周縁部４１により形成される空間が該当する。保持部２０の下面２２の形状を周縁部４１から中心方向に向かうにしたがって上方になだらかに湾曲させることで、空隙部４２は上方に僅かに膨らんだ形状になっている。
【００１７】
次に、調理用器具スタンド１０の使用方法について説明する。
図５に示すように、まず使用者はキッチンの流し台５０等に載置した調理用器具スタンド１０を下方に押さえつけることで、保持部２０が下方に沈み込み、吸盤部４０が押し潰されるように弾性変形することで、空隙部４２内の空気が外部に排出される。そして、空隙部４２内の気圧が低下して真空に近い状態になることで、外部の大気圧との差を利用して調理用器具スタンド１０を流し台５０等に吸着・固定させておく。
【００１８】
次に、調理中に調理用器具（例えば包丁）を一時的に保持しておく必要が生じた際、または調理後に調理用器具を収納する際に、使用者は包丁の柄６０の後端部を調理用器具スタンド１０の上部開口２１から内部に挿入する。
すると、図６に示すように保持部２０の内面に設けた複数の突起片３１のうち最上部の突起片３１から順番に柄６０の外力を受けて下方に弾性的に撓んでいき、柄６０の外周面を左右方向から包み込んでいく。
【００１９】
使用者は更に柄６０の後端部が保持部２０の開口２１の底面に接触するまで押し込むことで、包丁が保持部２０によって確実に把持される。上述の通りシリコーンゴムは滑りにくいという特性を有しているので、突起片３１で包み込まれて把持された状態の調理用器具は開口２１内でその軸回りに回転したり、前後左右方向にぐらつくことがない。
なお、柄６０の後端部が保持部２０の開口２１の底面に接触する前に包丁の刃が保持部２０の上部に接触する場合には、必ずしも柄６０の後端部を当該底面に接触するまで押し込む必要はない。
【００２０】
次に、包丁を使用する際には、使用者は柄６０を掴んだ状態で包丁を上方に持ち上げればよい。すると、柄６０の外力を受けた突起片３１が上方に弾性的に撓み、柄６０の把持状態が徐々に解消されていき、柄６０を保持部２０から完全に引き抜くことで包丁を使用できる状態になる。
なお、包丁を上方に持ち上げることにより調理用器具スタンド１０も同様に上方に持ち上げられることになるが、吸盤部４０が流し台５０等に強固に吸着しているので、調理用器具スタンド１０が流し台５０等から外れることはない。
【００２１】
［第２の実施の形態］
次に、本考案の調理用器具スタンドの第２の実施の形態について説明するが、上記第１の実施の形態と同様の構成になる箇所については同一の符号を付してその説明を省略する。
図７（ａ）に示すように、本実施の形態においては調理用器具スタンド１１の保持部２０の肉厚がほぼ等しくなっている。すなわち、保持部２０の水平面内での断面積を上下方向でほぼ等しくした点に特徴を有する。
この場合、周縁部４１の厚みが第１の実施の形態と比較して薄くなるため、吸盤部４０を弾性変形させ易くなり、吸着力を高めることができる。
なお、図７（ｂ）に示すように、半円形状の左右一対の突起片３２により、開口２１の形状がほぼ長方形状になっている。
【００２２】
［第３の実施の形態］
次に、本考案の調理用器具スタンドの第３の実施の形態について説明するが、上記各実施の形態と同様の構成になる箇所については同一の符号を付してその説明を省略する。
図８に示すように、本実施の形態においては調理用器具スタンド１２の保持部２０の下部の外周縁全体に切り込み部２３を設けた点に特徴を有する。
この場合、第２の実施の形態と同様に、周縁部４１の厚みが第１の実施の形態と比較して薄くなるため、吸盤部４０を弾性変形させ易くなり、吸着力を高めることができる。
【００２３】
［第４の実施の形態］
次に、本考案の調理用器具スタンドの第４の実施の形態について説明するが、上記各実施の形態と同様の構成になる箇所については同一の符号を付してその説明を省略する。
図９に示すように、本実施の形態においては調理用器具スタンド１３の突起片３３の数を第１の実施の形態と比較して減らし（本実施の形態においては左右一組で三組）、さらに各突起片３３の厚みを増加させた点に特徴を有する。
この場合、柄等の開口２１への挿入に伴なって突起片３３は径方向に圧縮され、弾性変形するので、柄等を確実に把持できる。また、突起片３３の上下方向への撓み量は第１の実施の形態と比較してごく僅かになるので、柄等を開口２１へ挿入し易くなると共に開口２１から引き抜き易くなるという効果を得られる。
【００２４】
［第５の実施の形態］
次に、本考案の調理用器具スタンドの第５の実施の形態について説明するが、上記各実施の形態と同様の構成になる箇所については同一の符号を付してその説明を省略する。
図１０に示すように、本実施の形態においては調理用器具スタンド１４が保持部２０と突起部３０のみを備えており下面２２が平らになっている点に特徴を有する。
この場合、上記各実施の形態のような吸盤部４０を備えないので構造を簡略化でき、製造コストを抑えることができる。
本実施の形態の調理用器具スタンド１４は比較的軽量な調理用器具、例えばしゃもじや計量スプーン等を把持するのに特に適している。
【００２５】
以上の通り、本考案の調理用器具スタンド１０〜１４によれば柄６０等の寸法が異なる多様な調理器具に対応できる。
なお、上記各実施の形態では調理用器具スタンド１０〜１３を予め流し台５０等に吸着させておくものとしたが、これに限らず、まず最初に柄６０を保持部２０に挿入し、次に調理用器具スタンド１０を流し台５０等に吸着させることにしてもよい。
また、左右一対の突起片３１〜３３を開口２１内の上下方向に複数配置するものとしたが、これに限らず、環状の突起片を上下方向に複数配置したり、あるいは突起片を開口２１の内面から中心軸方向に向かってのびる棒状の突起形状とし、この突起片を上下方向に多数配置する構成にしてもよい。
【００２６】
また、保持部２０の形状に関して、水平面内での断面の外形がほぼ円形になるものとしたが、これに限らず、断面が三角形、正方形や長方形等の矩形、五角形以上の多角形や楕円形であってもよい。
また、保持部２０の開口２１の断面形状も円形に限らず、三角形以上の多角形や楕円形であってもよい。
また、保持部２０、突起部３０及び吸盤部４０はシリコーンゴムにより一体成形されているものとしたが、各々を別個に成形し、接合することにしてもよい。
【産業上の利用可能性】
【００２７】
多様な調理用器具に使用できるシリコーンゴム製の調理用器具スタンドに関するものであり、産業上の利用可能性を有する。
【符号の説明】
【００２８】
１０  調理用器具スタンド
１１  調理用器具スタンド
１２  調理用器具スタンド
１３  調理用器具スタンド
１４  調理用器具スタンド
２０  保持部
２１  開口
２２  下面
２３  切り込み部
３０  突起部
３１  突起片
３２  突起片
３３  突起片
４０  吸盤部
４１  周縁部
４２  空隙部
５０  流し台
６０  柄
【図１】
0003174913.tif 000003
【図２】
0003174913.tif 000004
【図３】
0003174913.tif 000005
【図４】
0003174913.tif 000006
【図５】
0003174913.tif 000007
【図６】
0003174913.tif 000008
【図７】
0003174913.tif 000009
【図８】
0003174913.tif 000010
【図９】
0003174913.tif 000011
【図１０】
0003174913.tif 000012